(57)【特許請求の範囲】
【請求項１】
パチンコ球を供給する複数の供給通路と、前記複数の供給通路に臨み複列で流下するパチンコ球を周面に形成される凹溝で受け単列に整列する第１回転体と、前記第１回転体に対抗位置して該第１回転体により単列に整列したパチンコ球を球受溝で受ける第２回転体と、前記第２回転体が回転することにより球受溝から解放されるパチンコ球が単列で払出される排出通路と、前記第１回転体の凹溝と前記第２回転体の球受溝が常に対向位置しかつ第１回転体と第２回転体とが同時に回転するように従動させる連繋手段と、前記第１回転体および第２回転体の回転を制御する電気的駆動源とを備えたことを特徴とするパチンコ機の球制御装置。
【請求項２】
通路幅をパチンコ球が複数個並ぶ幅広とする供給通路と、前記幅広の供給通路に臨み複列で流下するパチンコ球を周面に形成される凹溝で受け単列に整列する第１回転体と、前記第１回転体に対抗位置して該第１回転体により単列に整列したパチンコ球を球受溝で受ける第２回転体と、前記第２回転体が回転することにより球受溝から解放されるパチンコ球が単列で払出される排出通路と、前記第１回転体の凹溝と前記第２回転体の球受溝が常に対向位置しかつ第１回転体と第２回転体とが同時に回転するように従動させる連繋手段と、前記第１回転体および第２回転体の回転を制御する電気的駆動源とを備えたことを特徴とするパチンコ機の球制御装置。
【請求項３】
前記連繋手段はギアの噛合により連繋したことを特徴とする請求項１または２記載のパチンコ機の球制御装置。
【請求項４】
前記第１回転体はスプロケットであり、該スプロケットの凹溝は同時に２個のパチンコ球を受け入れないように交互に設けたことを特徴とする請求項１ないし３のいずれかに記載のパチンコ機の球制御装置。
【請求項５】
前記第２回転体を電気的駆動源により直接駆動するようにしたことを特徴とする請求項１ないし４のいずれかに記載のパチンコ機の球制御装置。
【請求項６】
前記排出通路の上流部に球検知スイッチを設けたことを特徴とする請求項１ないし５のいずれかに記載のパチンコ機の球制御装置。
【請求項７】
前記球制御装置を球払出装置としたことを特徴とする請求項１ないし６のいずれかに記載のパチンコ機の球制御装置。
【発明の詳細な説明】
【０００１】
【発明の属する技術分野】
本発明は、パチンコ機における球払出装置等の球制御装置に関するものであり、特に複列で流下するパチンコ球を単列で排出する球制御装置に関するものである。
【０００２】
【従来の技術】
最近のパチンコ機の球払出装置は、パチンコ球を１個単位で計数するようにし、入賞したパチンコ球ごとに払出されるパチンコ球の定量数を１個単位に設定、変更調整できるようにした構造のものが本出願人による特開平５−７６５６号をはじめとして多数提案されているが、従来の球払出装置はパチンコ球を１個ずつ払出すもののその払出したパチンコ球を検出するスイッチが複数必要となってコスト高となっていた。そこで、排出通路を絞り込んで払出されたパチンコ球を一列に整列して１個の検出スイッチで払出されたパチンコ球を計数するようにした球払出装置が提案されている。
【０００３】
また、二列の球通路の各列のパチンコ球を１個単位で制御して前記パチンコ球払出装置へ送り出す機構として、外周に数個の円弧面とパチンコ球が嵌入し得る凹窪を等間隔で形成した円盤状になる回転体を前記二列の各列の球通路ごとに臨ませて設置し、各列の回転体は互いの円弧面の１個分に対する半ピッチを回転方向へ変位させて並列に設置し、一方の回転体の円弧面が一方の球通路に臨んでいるとき、他方の回転体の凹窪が他方の球通路に臨んで互いの回転体の円弧面と凹窪が各列の球通路に食い違い状に臨ませることにより、各列のパチンコ球を１個ずつ所定のタイミング差をもって交互に取り込んで単列で賞球払出装置に送出すようにして、パチンコ球を１個単位で払出すようにしている。（特公平５−５５１５号公報参照）
【０００４】
【発明が解決しようとする課題】
しかしながら、上記球払出装置は、供給通路がパチンコ球のほぼ直径に等しい１２ｍｍであるため、連続するパチンコ球の球心が流下方向に常に一定な状態にあり、回転体に支持される最先のパチンコ球にかかる球圧がすべて回転体にかかり電気的駆動源に大きな負担となり円滑なパチンコ球の払出しができなくなるという問題があった。さらに、通路を絞り込むことによって１列に整列するため、払出されたパチンコ球同士が接触し球詰りを起したり、払い出してから検出されるまでのタイムラグのために高速で払出すことができないという問題があった。
【０００５】
また、前述した二列の球通路を単列にする機構においては、パチンコ球の自重により回転体が回転するため球払出装置の球送り制御部材に球圧が直接掛かることになり、球送り制御部材および該球送り制御部材を駆動する電気的駆動源に過重が掛かり短期間に故障しやすいという問題があった。
【０００６】
そこで本発明は、従来技術の有するこのような問題点に鑑みてなされたものであり、その目的とするところは、供給通路のパチンコ球を制御する回転体およびその電気的駆動源に負担をかけることなくスムーズに排出することができるパチンコ機の球制御装置を提供しようとするものである。
【０００７】
【課題を解決するための手段】
上記目的を達成するために、請求項１記載の発明は、パチンコ球を供給する複数の供給通路と、前記複数の供給通路に臨み複列で流下するパチンコ球を周面に形成される凹溝で受け単列に整列する第１回転体と、前記第１回転体に対抗位置して該第１回転体により単列に整列したパチンコ球を球受溝で受ける第２回転体と、前記第２回転体が回転することにより球受溝から解放されるパチンコ球が単列で払出される排出通路と、前記第１回転体の凹溝と前記第２回転体の球受溝が常に対向位置しかつ第１回転体と第２回転体とが同時に回転するように従動させる連繋手段と、前記第１回転体および第２回転体の回転を制御する電気的駆動源とを備えたことを特徴とする。
【０００８】
また、請求項２記載の発明は、通路幅をパチンコ球が複数個並ぶ幅広とする供給通路と、前記幅広の供給通路に臨み複列で流下するパチンコ球を周面に形成される凹溝で受け単列に整列する第１回転体と、前記第１回転体に対抗位置して該第１回転体により単列に整列したパチンコ球を球受溝で受ける第２回転体と、前記第２回転体が回転することにより球受溝から解放されるパチンコ球が単列で払出される排出通路と、前記第１回転体の凹溝と前記第２回転体の球受溝が常に対向位置しかつ第１回転体と第２回転体とが同時に回転するように従動させる連繋手段と、前記第１回転体および第２回転体の回転を制御する電気的駆動源とを備えたことを特徴とする。
【０００９】
また、請求項３記載の発明は、請求項１または２記載の発明において、前記連繋手段はギアの噛合により連繋したことを特徴とする。
【００１０】
また、請求項４記載の発明は、請求項１ないし３のいずれかに記載の発明において、前記第１回転体はスプロケットであり、該スプロケットの凹溝に同時に２個のパチンコ球を受け入れないように交互に設けたことを特徴とし、確実に１個ずつ送り出すようにした。
【００１１】
また、請求項５記載の発明は、請求項１ないし４のいずれかに記載の発明において、前記第２回転体を電気的駆動源により直接駆動するようにしたことを特徴とする。
【００１２】
また、請求項６記載の発明は、請求項１ないし５のいずれかに記載の発明において、前記排出通路の上流部に球検知スイッチを設けたことを特徴とする。
【００１３】
また、請求項７記載の発明は、請求項１ないし６のいずれかに記載の発明において、前記球制御装置を球払出装置としたことを特徴とする。
【００１４】
なお、本発明の球制御装置は、貸球または賞球用の球払出装置に限られることなく、パチンコ機間に設けられる球貸し機、さらには球タンクへの補給機にも適用することができる。
【００１５】
【発明の実施の形態】
次に、本発明のパチンコ機の球制御装置としての球払出装置を図面を参照して説明する。図１は本発明の球払出装置が適用されるパチンコ機１の裏面図である。パチンコ機１の裏側には遊技盤の裏面全体を覆うように機構板２が配設されており、該機構板２の上部にはパチンコ球を貯留する球タンク５が設けられ、該球タンク５の下方にパチンコ球を整列して流下させる球誘導樋６が設けられている。また、球誘導樋６の下流側に屈曲誘導樋７を介して本発明の球制御装置としての球払出装置９が接続される。さらに該球払出装置９の下方には、払出されたパチンコ球を機前の球受皿（図示せず）に導く排出樋１０が設けられている。
【００１６】
また、機構板２の下方には入賞球集合部３に集められた入賞球を１個ずつ排出処理する入賞球処理装置４が設けられている。
【００１７】
次に、図２ないし図６を参照して本実施の形態に係るパチンコ機の球払出装置９の構成について説明する。球払出装置９は図３に示すように箱枠状のケース体１２に前記屈曲誘導樋７の球通路７ａと連通する球流路としての供給通路１３と、該供給通路１３に臨み最先のパチンコ球を支持する制御体としての第１回転体１４，第２回転体１５と、第２回転体１５の支持から外れ傾斜面を有するガイド壁１６ａにより単列で払出される排出通路１６とを備え、ケース体１２に前記第１回転体１４，第２回転体１５を回転駆動する電気的駆動源としてのモータ１８が取付けられている。なお、該モータ１８は回転制御が容易なステッピングモータが望ましいが通常のモータであってもよい。前記供給通路１３は仕切壁８により複列で供給する複数の供給通路１３ａ，１３ｂが形成されている。１９は排出通路１６に払出されたパチンコ球を検出する球検知スイッチであり、該球検知スイッチ１９は発光部１９ａと受光部１９ｂとからなる光学式センサで、しかも図４に示すように排出通路１６の中心線からずれた位置でその光軸が交差するように配置される。そして第２回転体１５による制止が開放されたパチンコ球が光軸を遮ることで該パチンコ球を検知し得るように配置される。なお、球検知スイッチ１９は複数の光軸がパチンコ球の通過方向と直交する面内にて交差する光学式センサとしてもよく、該光学式センサを用いることにより、例えば貸球および賞球として払出されたパチンコ球をそれぞれ別々に計数することができる。また、排出通路１６を図上ほぼ垂直状としたが第２回転体１５の外周に沿って周回するように設け、その下流端に第２回転体１５による制止が開放された直後のパチンコ球を検知する球検知スイッチとして近接スイッチを設けるようにしてもよい。
【００１８】
前記第１回転体１４は、合成樹脂により通路幅Ｗとほぼ等しい寸法を有する円柱状に成形され、その周面に軸方向と平行でありパチンコ球の外形に略合致する凹溝２０を供給通路１３ａ、１３ｂに対応して同時に２個のパチンコ球を受け入れないように交互にピッチをずらして複数（本実施の形態ではそれぞれ３箇所）設けて該凹溝２０間を球受部２１として、供給通路１３ａ、１３ｂのパチンコ球を単列に整流する整流手段としている。該球受部２１の円弧面は、第１回転体１４が回転するに従って球受部２１で支持されているパチンコ球が徐々に下降し凹溝２０に受入れられるような反回転方向に傾斜したと形状としている。
【００１９】
一方、第２回転体１５は略パチンコ球１個分の幅を有するスプロケットであり、９つの稜線と各稜線間形成された９つの球受溝２２を備え、前記第１回転体１４で単列に整列したパチンコ球を排出通路１６に払出す排出手段としている。また、第２回転体１５に前記モータ１８の出力軸１８ａを直結してモータ１８の駆動により直接第２回転体１５が回転するようになっている。また、前記球受溝２２はパチンコ球の一部を受入れる円弧面としている。なお、第１回転体１４および第２回転体１５はアルミ合金等によりダイカスト成形してもよく、当然のことながら強度に優れしかもパチンコ球に帯電した静電気を放電し、静電気による障害を未然に防止することができる。また、ケース体１２を強度・静電気除去を目的として合成樹脂に金属繊維を混合したもので成形してもよい。
【００２０】
しかして、第１回転体１４および第２回転体１５は連繋手段としてのギア２３，２４を備え、図４に示すように互いのギア２３，２４を噛合させることにより第１回転体１４および第２回転体１５を連繋し、第１回転体１４が単独で回転することなく第２回転体１５が回動することにより第１回転体１４が従動して回動するようにしている。このとき、第１回転体１４の凹溝２０および第２回転体１５の球受溝２２は対向位置しており、第１回転体１４の凹溝２０で運ばれるパチンコ球を第２回転体１５の球受溝２２で受けるように噛合させている。なお、ギア２３，２４を第１回転体１４および第２回転体１５の端部に一体に形成するようにしたが、ギア２３，２４を別体に形成して第１回転体１４および第２回転体１５の回転軸１４ａ，１５ａに固着するようにしてもよい。また、本実施の形態において第１回転体１４および第２回転体１５のギア比は３：２とし、第１回転体１４のギア２３よりモータ１８により直接回転する第２回転体１５のギア２４を小さくしてモータ１８への負担を軽減している。
【００２１】
次に、上記構成からなる球払出装置９の払出し動作について図５および図６を参照して説明する。前記屈曲誘導樋７の球通路７ａから供給通路１３ａ，１３ｂにパチンコ球が供給され、図５および図６（ａ）に示すように供給通路１３ａ，１３ｂの最先のパチンコ球Ｂ１，Ｂ２が第１回転体１４の凹溝２０および球受部２１に受入れまたは支持されて並ぶ。この状態でモータ１８を駆動すると第２回転体１５が時計回り方向に回動しそれに連動して第１回転体１４が図４において矢印で示す反時計回り方向に回転され、供給通路１３ａのパチンコ球Ｂ１は図６（ｂ）に示すように凹部２０に受けられつつ回転移動し、後続のパチンコ球Ｂが球受部２１に支持され、供給通路１３ｂのパチンコ球Ｂ２は凹溝２０に受けられる。そして、さらに第１回転体１４が回動すると図６（ｃ）に示すようにパチンコ球Ｂ１が第２回転体１５の球受溝２２に受け入れられ、球受溝２２と凹溝２０とにより運ばれながら図５鎖線に示すようにガイド壁１６ａの傾斜面により中央に集束して図６（ｄ）に示すように凹溝２０の支持から外れて排出通路１６に落下し球検知スイッチ１９で検出される。
【００２２】
以後第１回転体１４および第２回転体１５は同様の動きを繰返し、供給通路１３ａ，１３ｂのパチンコ球を交互に排出通路１６に落下させ、落下したパチンコ球は排出通路１６で球検知スイッチ１９の光軸を遮りながら排出樋１０に排出されることになる。そして、所定個数の払出しが行われ、球検知スイッチ１９によりパチンコ球が検知されるとモータ１８が停止する。なお、排出通路１６を第２回転体１５に沿った湾曲状とすることで、球検知スイッチ１９により第２回転体１５から離脱した瞬間のパチンコ球を検知することが可能となる。
【００２３】
このように、複列で流下するパチンコ球を単列に整流する第１回転体１４と単列に整流したパチンコ球を排出通路１６に払出す第２回転体１５を連繋手段により連繋するようにしたので、払出し手段としての第２回転体１５および電気的駆動源のモータ１８への負荷を大幅に軽減し、球詰りすることなく１個ずつ排出通路１６に排出することができ、第２回転体１５で単列で保持されつつ払出されるため球検知スイッチ１９で確実に検知できる。なお、第１回転体１４の凹溝２０および第２回転体の球受溝２２の数は、上記実施の形態の６個と９個に限定されることなく、同じギア比において４個と６個というように凹溝２０および球受溝２２が常に対向位置して、第１回転体１４の回転により凹溝２０で運ばれるパチンコ球を第２回転体１５の球受溝２２で受けるようにすればよい。また、当然のことながら第１回転体１４および第２回転体のギア比を変えることにより凹溝２０および球受溝２２の数を変更することができる。
【００２４】
また、図７および図８に示すように、第２回転体１５の端部に内方に向って傾斜する円錐台形のガイド部２６を形成してもよく、該ガイド部２６により第１回転体１４の凹溝２０，２０で運ばれるパチンコ球を中央に集束して排出通路１６に払出すようにしている。これにより前記実施の形態に示したようなガイド壁１６ａを設けることなく速やかに中央に集束させることができ、排出通路１６で球検知スイッチ１９によるパチンコ球の早期の検知が可能となり、高速の払出しが可能となる。
【００２５】
また、図９に示すように前記供給通路１３ａ，１３ｂの仕切壁８をなくして供給通路１３内をパチンコ球が複列でランダムに並列可能な幅広に形成してもよく、このとき第１回転体１４は供給通路１３内にランダムに並んだパチンコ球が前記凹溝２０に同時に２個受け入れない寸法形状が選ばれ、本実施の形態において供給通路１３の通路幅Ｗ（回転体の幅方向）をランダムに複列で流下する２４ｍｍとしている。
【００２６】
上記構成の球払出装置９は、供給通路１３にパチンコ球が供給されると図９に示すように供給通路１３でランダムに連続して待機しているパチンコ球は、複列で待機する最先のパチンコ球Ｂ１，Ｂ２が第１回転体１４の凹溝２０および球受部２１に支持されて後続のパチンコ球がランダムに連なっている。この状態で払出し信号によりモータ１８が回転し、第２回転体１５が回転すると連繋手段としてのギア２３，２４の噛合によって第１回転体１４が回動する。以後の払出し作用は前記実施の形態と同様なため詳細な説明は省略するが、第１回転体１４の回転により単列に整列し第２回転体１５の回転により排出通路１６に払出される。このとき供給通路１３内のパチンコ球は、例えバランスがとれて球詰りしそうになっても、第１回転体１４が回転しパチンコ球Ｂ２が凹溝２０に受け入れられることにより、図９鎖線に示すように上下方向だけでなく左右方向にランダムに動くため球圧が四方に分散すると共に、パチンコ球同士の接点がずれパチンコ球の配列が変化することによりバランスが崩れ球詰りすることなくパチンコ球が流下する。
【００２７】
以上のように、本実施の形態に係る球払出装置９は、図９に示すように供給通路１３にパチンコ球がランダムに並ぶことにより、球圧が第１回転体１４に直下的に掛かることなく供給通路１３側壁にも分散するので、第１回転体１４に掛かる球圧が減少されモータ１８への負荷を軽減させることができる。また、例え少数の払出しでもパチンコ球が払出されるたびに通路内のパチンコ球が動き並び方が変化して適度な振動が発生し、それがバイブ効果となり屈曲誘導樋７は勿論のこと上流の球誘導樋６および球タンク５の球詰りを防止する効果を生ずる。
【００２８】
また、供給通路１３の仕切壁８をなくして通路幅Ｗをパチンコ球がランダムに並ぶ幅広とすることで、装置全体を縮小して小型化することができると共に、例え球払出装置９の取付時の多少の位置ずれや成形時のヒケがあったとしても、パチンコ球を球払出装置９に確実に供給することができる。また、球誘導樋６でパチンコ球を整列する必要がないので、例えば球タンク５の球導出口に直接設けることも可能となる。また、球誘導樋６および屈曲誘導樋７を供給通路１３と同様にパチンコ球がランダムに並ぶ幅広としてもよい。
【００２９】
また、上記した実施の形態では、通路幅Ｗをパチンコ球が２個並ぶ２４ｍｍとしたが、図１０に示すように並列状に３個並ぶ通路幅Ｗでもよく、第１回転体１４にパチンコ球が同時に２個受け入れることなく１個ずつ嵌る凹溝２０を設けている。なお、本発明は同時に２個のパチンコ球が凹溝２０に受け入れない限り、通路幅Ｗに限定されることなく３個以上並列して並ぶ通路幅Ｗでもパチンコ球１個ずつの払出しは可能である。
【００３０】
なお、本実施の形態の球払出装置の第１回転体および第２回転体をスプロケットタイプとしたが、凹溝２０，球受溝２２の数および凹溝２０，球受溝２２間のピッチは上記実施の形態に示したものに限定されることはない。球受溝２２間のピッチを大きくすることで球間隔があき球検知スイッチ１９を近接スイッチとすることも可能となる。さらに、回転軸に複数の偏心円盤が互いに逆方向に偏心した位置に固着されたもの、スプロケットを捻ったような複数の螺旋条を備えたもの、移送手段を螺旋状に設け回転軸方向にパチンコ球を移送するスクリュータイプとしてもよい。また、上記実施の形態において第１回転体１４は凹溝に２個のパチンコ球を同時に受入れないとしたが、第１回転体１４の回転軸に対し複数のパチンコ球が受入れ可能な凹溝２０を傾斜状に設けて、結果的には凹溝２０に２個のパチンコ球を受入れるが凹溝２０が傾斜状になっていることにより時間差をもって１個ずつ送り出すことができる。さらに凹溝をジグザグ状に連通した状態としても時間差をもって１個ずつ送り出すことは可能である。また、第１回転体および第２回転体を回転軸方向にパチンコ球を移送するスクリュータイプと該回転軸に対して直交方向に移送するスプロケットタイプとの組合せとしてもよく、このように回転方向が直交する際には連繋手段として例えば傘歯車等を使用して回転方向を変更するようにすればよい。
【００３１】
なお、本実施の形態は第１回転体１４の凹溝２０および第２回転体１５の球受溝２２を対応位置するようにしたが、凹溝２０から完全に離脱したパチンコ球を球受溝２２で受けるようにしてもよい。また、連繋手段をギアとして第１回転体１４および第２回転体１５を直接連繋するように説明したが、連繋手段はギアに限ることなく第１回転体１４および第２回転体１５の位置関係によってベルト、チェーン等により連繋するようにしてもよい。また、電気的駆動源としてのモータ１８の出力軸１８ａを第２回転体１５に直結するようにしたが、第１回転体１４に固定するようにしてもよい。また、モータ１８の出力軸１８ａに別のギアを固着し、該ギアを介して第１回転体１４または第２回転体１５のギア２３，２４と連繋するようにしてモータ１８への負担をさらに軽減するようにしてもよい。このとき、当然のことながらモータ１８の出力軸１８ａ固着する別のギアはギア２３，２４より小径とするのが好ましい。
【００３２】
また、実施の形態として電気的駆動源をモータ１８として説明したが、ソレノイドを用いて該ソレノイドの駆動により規制が解除されると第１回転体１４および第２回転体１５がパチンコ球の自重により回転するようにしてもよく、第１回転体１４および第２回転体１５が連繋されていることにより暴走して過剰にパチンコ球を払出すことがない。この際、ギア２３，２４を利用して直接ソレノイドで制御しても、制御用のギアを別途設けるようにしてもよい。
【００３３】
そこで上記自重により回転させる第１回転体１４および第２回転体１５を備えた球払出装置９について図面と共に説明する。なお、上記実施の形態と同じ構成要素には同一符号を付して説明する。該球払出装置９は、図１１および図１２に示すように供給通路１３を前記したパチンコ球が複列でランダムに並列可能な幅広に形成して屈曲させている。排出通路１６には第２回転体１５から解放され払出された直後のパチンコ球を検出する光電式の球検知スイッチ１９が設けられる。また、第１回転体１４は、図１２に示すように球受部２１上面を交互に内方に向かう傾斜とすることにより、球受部２１で支持されたパチンコ球が自然に凹溝２０に導かれるように形成している。そして、第１回転体１４の回転軸１４ａ軸心位置を供給通路１３の最先のパチンコ球の球心位置より供給通路１３外側に僅かに位置をずらしてパチンコ球の自重により第１回転体１４を回動するようにして、ギア２３，２４を介して第２回転体１５を回動するようにしている。なお、供給通路１３を屈曲状にしたが垂直状としてもよく、第１回転体１４がパチンコ球の自重により回転するように設けるようにすればよい。
【００３４】
また、図１１および図１２に示すように第２回転体１５の停止機構３０として、該第２回転体１５の回転軸１５ａと同軸上に設けられた側板３１の周縁部に４５゜間隔で球受溝２２と同数の８箇所に切欠形成されている爪部３２，３２…と、該爪部３２，３２…に当接離脱可能な突起３３を有する略く字状の停止部材３４とで構成され、該停止部材３４は軸３８により揺動自在に軸支され、スプリング３５を介して電気的駆動源としてのソレノイド３６のプランジャ３７に連結されている。３９は、前記軸３８に妄動防止手段として設けられる揺動体であり、図１３に示すように第２回転体１５の側方に設けられたカム部４０の凹部４１に交互に当接して抵抗力となる当接片４２が形成され第２回転体１５の回転速度を緩和するようにしている。なお、前記停止部材３４は軸３８を介して爪部３２に対して側方から作用するように設置されていて、爪部３２の回転作用力が停止部材３４の軸３８方向に向かうようになっており爪部３２と突起３３との係合が確実になされる。
【００３５】
そして、ソレノイド３６が消磁されている常態のとき、図１１に示すようにスプリング３５の弾発力によって突起３３が爪部３２に当接するように付勢されて第２回転体１５の回転を阻止している。この状態で、ソレノイド３６を駆動励磁すると図１１鎖線に示すようにスプリング３５の付勢に抗してプランジャ３７が吸引され、停止部材３４が回動し突起３３が爪部３２から離脱し、第２回転体１５は回転可能状態となり、第１回転体１４の凹溝２０に受け入れられたパチンコ球の自重によって第１回転体１４が回転し、ギア２３，２４を介して第２回転体１５が回転して払出される。そして、検出センサ１９により所定個数のパチンコ球が検出されるとソレノイド３６を消磁して、停止部材３４が復動し前記と同様の作用によって、突起３３に爪部３２が当接して第２回転体１５の回転を阻止する。
【００３６】
このようにソレノイド３６を駆動して第１回転体１４の凹溝２０に受け入れられたパチンコ球の自重によって回転するようにした第１回転体１４にあっては、例えば供給通路１３が球抜後の空の状態の時に誤ってパチンコ球が１個供給通路１３に入り込んで球受部２１で支持された場合、この実施の形態のように球受部２１が凹溝２０側に傾斜していないと、いくらソレノイド３６を駆動励磁しても供給通路１３に入り込んだ該パチンコ球により第１回転体１４に回転力が与えられないが、この実施の形態のように球受部２１が凹溝２０側に傾斜していることにより球受部２１で支持されたパチンコ球は図１２に示すように確実に凹溝２０に導かれ第１回転体１４に回転力を与えることができるので最後の１個まで払出しが可能となる。また、供給通路１３の最先のパチンコ球の球心位置を第１回転体１４の回転軸１４ａ軸心位置より供給通路１３側に僅かに位置をずらした回転軸１４ａ軸心近くであっても確実に払出しが可能となる。
【００３７】
また、上記実施の形態において第１回転体１４の球受部２１を傾斜させて最後の１個まで払出しが可能となるようにしたが、屈曲して形成された供給通路１３の終端底部を通路幅のほぼ中央でＶ字状になるようにして、供給通路１３を流下してくるパチンコ球が終端で通路の中央に寄るようにすると共に、第１回転体１４の凹溝２０端部を第１回転体１４の中央を跨ぐように設けるようにしてもよい。このようにすることで、例え誤ってパチンコ球が１個供給通路１３に入り込んでもＶ字状の底部により供給通路１３の中央に寄り、第１回転体１４の凹溝２０が待機しているため必ず凹溝２０に受入れられ、第１回転体１４に回転力を付与して最後の１個まで払出しを可能とすることができる。
【００３８】
また、第１回転体１４は、図１４に示すように球受部２１を交互に逆傾斜にすることにより球受部２１間に凹溝２０を形成し、球受部２１のパチンコ球が確実に凹溝２０に導かれるように形成してもよい。
【００３９】
また、前記ギア２３，２４に替えて図１５に示すように葉ロータ付スプロケット２８，２９の噛合により第１回転体１４と第２回転体１５を連繋してもよい。このとき葉ロータ付スプロケット２８，２９の噛合部は図１５に示すように隙間Ｓができるように噛合され、該隙間Ｓにゴミ・埃が入るようにして、ゴミ・埃による第１回転体と第２回転体１５の回転阻害を防止している。特に自重回転制御による払出しの際には効果的である。なお、隙間Ｓを形成する葉ロータ付スプロケット２８，２９の凹部を葉ロータ付スプロケット２８，２９の幅方向に片側または両側に傾斜させることによりに前記隙間Ｓに溜まったゴミ・埃を排出させることができる。
【００４０】
さらに、図１５に示すように１０葉ロータ付スプロケット２８，２９を前記停止機構３０として利用し、停止部材３４の突起３３を直接１０葉ロータ付スプロケット２８，２９の歯部に当接離脱させるようにして第２回転体１５を停止させるようにしてもよい。また、例えば図１５に示すようにいずれか一方の葉ロータ付スプロケット２８，２９の凹部に位置して回動検知用の光電式スイッチ４４を設け、葉ロータ付スプロケット２８，２９の葉部により光軸を遮る回数を検知することにより第１回転体１４または第２回転体１５の回転位置を検知してもよい。このように葉ロータ付スプロケット２８，２９の回転を検知して第１回転体１４または第２回転体１５の回転を制御することにより過剰払出が防止でき、球検知スイッチ１９を近接スイッチとすることができる。このことから排出通路１６を図上ほぼ垂直状としたが第２回転体１５の外周に沿って周回するように設けてその下流端に近接スイッチを設けることもできる。また、葉ロータ付スプロケット２８，２９を金属製として光電式スイッチ４４に換えて磁気センサにより該葉部を検知して第１回転体１４または第２回転体１５の回転を制御するようにしてもよい。なお、球払出装置９に検出センサ１９を設けることなく光電式スイッチ４４または磁気センサにより第１回転体１４または第２回転体１５の回転を制御することで払出しを制御するようにしてもよく、例えばＣＲ機のように賞球と貸球を分けて検出する場合には球払出装置９の下方に位置して複数の通路に振分ける振分け手段を設け、複数の通路のそれぞれに賞球と貸球を計数する検出センサ１９を設けるようにしてもよい。
【００４１】
図１６は、第１回転体１４および第２回転体１５の妄動防止手段を設けた他の実施の形態を示し、妄動防止手段として上記パチンコ球の自重により回転する第１回転体１４と第２回転体１５を連繋するギア２３，２４にフリー回転するギア４３を連繋して設けて、該ギア４３を回転させる負荷を与えることにより、第２回転体１５の暴走を抑制し１個単位の確実な払出しを行うようにしている。なお、前記フリー回転するギア４３は連繋手段のギア２３，２４のどちらに噛合させてもよく、さらにフリー回転するギア４３を複数設けるようにしてもよい。また、ギア４３の大きさおよび材質または重錘を設けることで重さを変更して負荷を調整することができる。また図１７に示すように前記ギア２３，２４に連繋してフリー回転するギア４３を前記停止機構３０の制御用ギアとして使用して、停止部材３４の突起３３をギア４３の歯部に当接離脱させるようにして第２回転体１５を停止させるようにしてもよく、好ましくはギア４３をギア２３より大径としてソレノイド３６にかかるトルクを低減させるのがよい。また、ギア４３の回転を図１７に示す光電式スイッチ４４または磁気センサにより検知して前記第１回転体１４または第２回転体１５の回転を制御するようにしてもよく、図上排出通路１６を第２回転体１５の外周に沿って周回するように設けてその下流端に球検知スイッチとして近接スイッチを設けている。
【００４２】
このようにフリー回転する該ギア４３は設置場所が限定されないため、前記停止機構３０およびセンサを供給通路１３，排出通路１６および第１回転体１４と第２回転体１５等の位置に制限されることなく任意の位置に自由に設定でき、球払出装置９をコンパクト化することができる。
【００４３】
さらに他の妄動防止手段として第１回転体１４，第２回転体１５またはギア２３，２４，４３に弾性片を当接させたり、第１回転体１４，第２回転体１５またはギア２３，２４，４３に常に接触状に位置する環状リブまたはゴム等の弾性を有する環状体を設けて第１回転体１４および第２回転体１５の回動時に接触抵抗を付与したりしてもよい。また、第１回転体１４，第２回転体１５またはギア２３，２４，４３の側面に位置して該側面側で開口する収容室を形成すると共に該収容室に鋼球等の球体を収容し、該鋼球が常に第１回転体１４，第２回転体１５またはギア２３，２４，４３の側面に接触状態として第１回転体１４，第２回転体１５の妄動を防止するようにしてもよい。さらに前記側面に１個ごとの払出しに合致する凹凸部を設けてパチンコ球が１個払出される度に前記球体が凹部に嵌るようにして回転体を間欠的に回転するようにしてもよい。なお、球体は第１回転体１４がパチンコ球１個の荷重で回転可能であれば複数設けてもよい。
【００４４】
また、本発明の実施の形態の球払出装置は、貸球または賞球用の球払出装置に限られることなく、パチンコ機間に設けられる球貸し機、さらには球タンクへの補給機としても使用することができる。また、球制御装置として球払出装置について詳述したが、本発明の球制御装置は入賞球を排出制御する入賞球処理装置等にも適用することができる。
【００４５】
【発明の効果】
以上に述べたように本発明に係るパチンコ球の球制御装置は、複列で流下するパチンコ球を単列に整流する第１回転体と単列に整流したパチンコ球を排出通路に払出す第２回転体を連繋手段により連繋するようにしたので、回転体および電気的駆動源への負荷を軽減することができ、確実に１個ずつ排出することができる。
【００４６】
また、供給通路の仕切壁をなくして通路幅をパチンコ球が複列でランダムに並列する幅広とすることにより、装置全体を小型化することができると共に、供給通路を流下するパチンコ球の振動によってバイブ効果が発生し、球詰りを解消することができる。
【図面の簡単な説明】
【図１】本発明が適用されるパチンコ機の裏面図である。
【図２】本発明に係る球払出装置の斜視図である。
【図３】図２の分解斜視図である。
【図４】球払出装置部分の正断面図である。
【図５】球払出装置の側断面図である。
【図６】（ａ）〜（ｄ）はパチンコ球の払出作用を説明するための正断面図である。
【図７】他の実施の形態の回転体の斜視図である。
【図８】図７の球払出装置の側断面図である。
【図９】他の実施の形態の球払出装置の作用を説明する正断面図である。
【図１０】他の実施の形態の球払出装置の平面図である。
【図１１】他の実施の形態の球払出装置の正断面図である。
【図１２】図１１の側断面図である。
【図１３】妄動防止手段を示す正面図である。
【図１４】第１回転体の他の実施の形態の斜視図である。
【図１５】連繋手段の他の実施の形態を示す正面図である。
【図１６】妄動防止手段の他の実施の形態を示す正面図である。
【図１７】連繋手段を示す正面図である。
【符号の説明】
９                    球払出装置（球制御装置）
１３                  供給通路（球流路）
１３ａ，１３ｂ        供給通路（球流路）
１４                  第１回転体（制御体）
１５                  第２回転体（制御体）
１６                  排出通路
１８                  モータ（電気的駆動源）
１９                  球検知スイッチ
２０                  凹溝
２１                  球受部
２２                  球受溝
２３，２４            ギア（連繋手段）
２８，２９            葉ロータ付スプロケット（連繋手段）
３６                  ソレノイド（電気的駆動源）
Ｗ                    通路幅
【図１】
0003559010.tif 000002
【図２】
0003559010.tif 000003
【図３】
0003559010.tif 000004
【図４】
0003559010.tif 000005
【図５】
0003559010.tif 000006
【図６】
0003559010.tif 000007
【図７】
0003559010.tif 000008
【図８】
0003559010.tif 000009
【図９】
0003559010.tif 000010
【図１０】
0003559010.tif 000011
【図１１】
0003559010.tif 000012
【図１２】
0003559010.tif 000013
【図１３】
0003559010.tif 000014
【図１４】
0003559010.tif 000015
【図１５】
0003559010.tif 000016
【図１６】
0003559010.tif 000017
【図１７】
0003559010.tif 000018